(57)【特許請求の範囲】
【請求項１】
ＱＲ分解に基づく逐次最小２乗アルゴリズムの処理を行うために、Ｇｉｖｅｎｓ回転に基づく変換のための適切な回転パラメータを計算する複数のバウンダリセルと、このバウンダリセルの計算値を用いて受信データベクトルの要素を回転させる複数のインターナルセルと、前記バウンダリセルおよび前記インターナルセルの計算値から事後推定誤差を導出するファイナルセルとを有するシストリックアレー装置において、
信号系列が入力される最後尾のセル列に配列された前記インターナルセルの個々に、前記インターナルセルから出力される信号が受け渡されるように接続された追加インターナルセルと、
前記ファイナルセルに、このセルに入力される前記バウンダリセルからの計算値と前記追加インターナルセルの計算値とが受け渡されるように接続された追加ファイナルセルとを具備し、
前記追加インターナルセルを、前記インターナルセルから出力される信号が直接受け渡されるように複数段接続し、この接続された追加インターナルセル毎に前記追加ファイナルセルを接続し、この接続された追加ファイナルセル毎に、前記バウンダリセルからの計算値と当該追加ファイナルセルが接続された追加インターナルセルの計算値とが受け渡されることを特徴とするシストリックアレー装置。
【請求項２】
請求項１記載のシストリックアレー装置を用い、このシストリックアレー装置における入力信号系列が入力されるバウンダリセルおよびインターナルセルに、受信信号系列を入力し、最後尾のインターナルセル及び追加インターナルセルに、予め既知である信号系列を同じタイミングで入力することを特徴とする通信における同期捕捉装置。
【請求項３】
請求項１記載のシストリックアレー装置を用い、このシストリックアレー装置における入力信号系列が入力されるバウンダリセルおよびインターナルセルに、受信信号系列を入力し、最後尾のインターナルセル及び追加インターナルセルに、先行波に時間タイミングを合わせた既知信号系列と、様々な遅延時間の遅延波に時間タイミングを合わせた既知信号系列とを入力することを特徴とするアダプティブアレーアンテナ装置。
【発明の詳細な説明】
【０００１】
【発明の属する技術分野】
本発明は、同一の入力信号系列で複数の参照信号系列に対する出力を同時に得ることが可能なＱＲ分解に基づく逐次最小２乗アルゴリズム（ＲＬＳアルゴリズム）の処理を行うシストリックアレー装置に関する。
【０００２】
【従来の技術】
従来、トランスバーサルフィルタ（タップ付き遅延線）により構成される適応フィルタのタップ係数を制御するには様々なアルゴリズムが用いられるが、ＲＬＳアルゴリズムは、その収束特性が良好なことで知られている。ＲＬＳアルゴリズムの演算量は、制御を行うタップの個数の２乗に比例して増加する。したがって、タップ数が多い場合には演算量が非常に多くなってしまう。そこで、例えば文献｛Simon Haykin著、翻訳主幹  鈴木博、「適応フィルタ理論」、科学技術出版｝に記載されているように、ＱＲ分解に基づくＲＬＳアルゴリズムを並列実装することにより処理時間を低減するシストリックアレーが知られている。
【０００３】
図７に従来の基本的なシストリックアレー装置の一構成例を示し、その説明を行う。この図７（ａ）に示すシストリックアレー装置１０は、タップ数が３の場合の構成であり、○印で示すバウンダリセルと、口印で示すインターナルセルと、◎印で示すファイナルセルと、●で示すディレーユニットとを備えて構成されている。なお、ファイナルセルの記号としては、通常文献では○内に×を入れた記号が用いられているがここでは◎を用いる。
【０００４】
バウンダリセル○とインターナルセル□は、Ｇｉｖｅｎｓ回転に基づく変換を行うものであり、バウンダリセル○は適切な回転パラメータを計算し、この計算値をインターナルセル□に渡し、インターナルセル□はその計算値を用いて受信データベクトルの要素を回転させるものである。ファイナルセル◎は、事後推定誤差を導出するものである。
【０００５】
具体的には、例えば、全てのバウンダリセル○は、図７（ｂ）に示すように、ｕin＝０又はδin＝０の時に、｛ｘ＝β2ｘ，ｓ＝０，ｚ＝ｕin，δout＝δin｝の演算を行い、この他に、｛ｚ＝ｕin，ｘ′＝β2ｘ＋δin│ｚ│2，ｃ＝β2ｘ／ｘ′，ｓ＝δinｚ／ｘ′，ｘ＝ｘ′，δout＝ｃδin｝の演算を行い、これら演算で得られる値ｘを保持する。
【０００６】
全てのディレーユニット●は、バウンダリセル○から出力される信号δoutが後段のセルに入力される時間を、１演算処理時間だけ遅延させる。
【０００７】
全てのインターナルセル□は、例えば、図７Ｃに示すように、ｕout＝ｕin−ｚｘ、ｘ＝ｓ*ｕout＋ｘの演算を行い、この演算で得られる値ｘを保持する。但し、＊は複素共役を表す。また、全てのインターナルセル□において同一の演算が行われる具体的演算は上記文献に明記されている。ファイナルセル◎は、図７に示すように、ｅ＝δinｕinの演算を行って出力する。これらの演算式は、上記文献｛Simon Haykin著…｝に詳しく記載されている。
【０００８】
図７（ａ）では、簡単のために時刻１から時刻５までの信号について示している。
１番目のタップの入力信号系列はｕ1（１），ｕ1（２），ｕ1（３），ｕ1（４），ｕ1（５）、２番目のタップの入力信号系列はｕ2（１），ｕ2（２），ｕ2（３），ｕ2（４），ｕ2（５）、３番目のタップの入力信号系列はｕ3（１），ｕ3（２），ｕ3（３），ｕ3（４），ｕ3（５）である。
【０００９】
それぞれの括弧内の数字が時刻を示している。これらの入力信号系列ｕ1（１）〜ｕ1（５）、ｕ2（１）〜ｕ2（５）、ｕ3（１）〜ｕ3（５）と参照信号系列ｄ（１），ｄ（２），ｄ（３），ｄ（４），ｄ（５）とに対する事後推定誤差信号が出力信号ｅとして、ファイナルセル◎より出力される。また、直列重みフラッシュという方法により、出力信号ｅとしてタップ係数の値を得ることもできる。
【００１０】
【発明が解決しようとする課題】
しかしながら、従来のシストリックアレー装置においては、上記文献に記載されているように、ＱＲ分解に基づくＲＬＳアルゴリズムの並列処理を行うシストリックアレーの構成として様々なものがあるが、どの構成においても参照信号系列として入力される信号系列は１つしかなく、複数の参照信号系列を同時に取り扱うことはできない。
【００１１】
このことから従来のシストリックアレー装置１０を用いて、同一の入力信号系列で複数の参照信号系列の処理を行う場合、それぞれの処理を別々に行わなければならない。図８にタップ数３で２種類の参照信号系列を扱う場合の例を示す。
【００１２】
１番目のタップの入力信号系列をｕ1（１），ｕ1（２），ｕ1（３），ｕ1（４），ｕ1（５）とし、２番目のタップの入力信号系列をｕ2（１），ｕ2（２），ｕ2（３），ｕ2（４），ｕ2（５）とし、３番目のタップの入力信号系列をｕ3（１），ｕ3（２），ｕ3（３），ｕ3（４），ｕ3（５）とする。
【００１３】
この時、参照信号系列をｄ（１），ｄ（２），ｄ（３），ｄ（４），ｄ（５）とした場合の出力信号ｅと、入力信号系列ｕ1（１）〜ｕ1（５）、ｕ2（１）〜ｕ2（５）、ｕ3（１）〜ｕ3（５）が同じで参照信号系列をｄ′（１），ｄ′（２），ｄ′（３），ｄ′（４），ｄ′（５）とした場合の出力信号ｅ′との各々を導出する場合、始めに参照信号系列としてｄ（１）〜ｄ（５）を用いて一連の処理を行って出力信号ｅを導出する。
【００１４】
次に、各セルにおいて信号Ｉｎｉｔｉａｌ（図にはＩｎｉｔｉａｌにアンダーバーを付けて表記）が入力されたら、そのセルが保持する値を初期化する。その後、参照信号系列ｄ′（１）〜ｄ′（５）と、先に用いた入力信号系列と同一の入力信号系列を再び用いて処理を行わなげればならない。
【００１５】
このように、従来のシストリックアレー装置１０では、入力信号系列ｕ1（１）〜ｕ1（５）、ｕ2（１）〜ｕ2（５）、ｕ3（１）〜ｕ3（５）が同一で複数の参照信号系列ｄ（１）〜ｄ（５）およびｄ′（１）〜ｄ′（５）を扱う場合、各々の処理を別々に行わなければならないという問題がある。
【００１６】
【課題を解決するための手段】
本発明はかかる点に鑑みてなされたものであり、ＱＲ分解に基づくＲＬＳアルゴリズムの処理を行う際に同一の入力信号系列で複数の参照信号系列を扱う場合、その複数の参照信号系列を同時に扱うことができるシストリックアレー装置を提供することを目的とする。
【００１７】
上記課題を解決するために、本発明のシストリックアレー装置は、ＱＲ分解に基づく逐次最小２乗アルゴリズムの処理を行うために、Ｇｉｖｅｎｓ回転に基づく変換のための適切な回転パラメータを計算する複数のバウンダリセルと、このバウンダリセルの計算値を用いて受信データベクトルの要素を回転させる複数のインターナルセルと、前記バウンダリセルおよび前記インターナルセルの計算値から事後推定誤差を導出するファイナルセルとを有するシストリックアレー装置において、信号系列が入力される最後尾のセル列に配列された上記インターナルセルの個々に、上記インターナルセルから出力される信号が受け渡されるように接続された追加インターナルセルと、上記ファイナルセルに、このセルに入力される上記バウンダリセルからの計算値と上記追加インターナルセルの計算値とが受け渡されるように接続された追加ファイナルセルとを具備し、上記追加インターナルセルを、上記インターナルセルから出力される信号が直接受け渡されるように複数段接続し、この接続された追加インターナルセル毎に上記追加ファイナルセルを接続し、この接続された追加ファイナルセル毎に、上記バウンダリセルからの計算値と当該追加ファイナルセルが接続された追加インターナルセルの計算値とが受け渡されることを特徴としている。
【００１８】
この構成によれば、最後尾のセル列に、複数の追加インターナルセルと追加ファイナルセルとを有するセル列を追加したので、上記最後尾のセル列と追加されたセル列との双方に同時に異なる参照信号系列を入力することによって、この入力された参照信号系列の各々と入力信号系列との事後推定誤差を同時に導出することができる。
【００２２】
さらに、この構成によれば、最後尾のセル列に追加されたセル列に、更に複数段のセル列を追加したので、その段数に応じた種類の参照信号系列の各々と入力信号系列との事後推定誤差を同時に導出することができる。また、インターナルセルの計算値はそれぞれの追加インターナルセルに直接受け渡されるので、それぞれの追加インターナルセルに同時に参照信号を入力することができる。その結果、それぞれのファイナルセルから演算結果が出力されるタイミングに遅延が生ずることがなく、特に追加セル列数が多い場合に有効である。
【００２５】
また、本発明の通信における同期捕捉装置は、上記シストリックアレー装置を用い、このシストリックアレー装置における入力信号系列が入力されるバウンダリセルおよびインターナルセルに、受信信号系列を入力し、最後尾のインターナルセル及び追加インターナルセルに、予め既知である信号系列を同じタイミングで入力することを特徴としている。
【００２６】
この構成によれば、受信信号系列と複数の既知信号系列との各々の事後推定誤差が同時に得られるので、その後、誤差電力が最も小さくなる既知信号系列の時間タイミングを同期点とする周知の機能を適用すれば、短時間で同期捕捉を行うことができる。また、それぞれの追加インターナルセルに既知の信号系列を同時に入力するので、それぞれのファイナルセルから演算結果が出力されるタイミングに遅延が生じず、処理速度がさらに向上する。特に追加セル列数が多い場合に有効である。
【００２７】
また、本発明のアダプティブアレーアンテナ装置は、上記シストリックアレー装置を用い、このシストリックアレー装置における入力信号系列が入力されるバウンダリセルおよびインターナルセルに、受信信号系列を入力し、最後尾のインターナルセル及び追加インターナルセルに、先行波に時間タイミングを合わせた既知信号系列と、様々な遅延時間の遅延波に時間タイミングを合わせた既知信号系列とを入力することを特徴としている。
【００２８】
この構成によれば、先行波について考慮されたタップ係数と、遅延波について考慮されたタップ係数とを同時に導出することができるので、先行波について考慮されたタップ係数と遅延波について考慮されたタップ係数とを合成して用いるアダプティブアレーアンテナ制御アルゴリズムにおいて、短時間でその処理を行うことが可能となる。
【００２９】
【発明の実施の形態】
図１は、本発明の第１実施形態に係るシストリックアレー装置の構成を示すブロック図である。この図１に示す本発明のシストリックアレー装置２０の特徴は、タップ数ｋでｍ種類の参照信号系列の処理を同時に行う構成とした点にある。即ち、波線枠２１で囲む複数のインターナルセル□およびファイナルセル◎を追加して構成した点にある。
【００３０】
この構成を分かり易く説明するため、図２（ａ）にタップ数３で２種類の参照信号系列の処理を同時に行う構成を示し、その説明を行う。この図２（ａ）に示すシストリックアレー装置３０は、図７（ａ）に示した従来のシストリックアレー装置１０における第１の参照信号系列ｄ（１）〜ｄ（５）が入力されるセル列（以降、第１参照入力セル列と呼ぶ）の右隣に、破線枠３１で囲むように、第２の参照信号系列ｄ′（１）〜ｄ′（５）を入力するためのインターナルセル□とファイナルセル◎とから成り且つ第１参照入力セル列と同配列の第２参照入力セル列が追加され、また、第１参照入力セル列のファイナルセル◎に、図２（ｂ）に破線枠３２で示すように、入力信号δinを右に隣接するファイナルセル◎に受け渡す機能が追加されて構成されている。更に、第１参照入力セル列の各インターナルセル□は、第２参照入力セル列における右隣のインターナルセル□に図７Ｃに示した信号ｓ，ｚを受け渡すように接続されている。
【００３１】
このような構成のシストリックアレー装置３０の動作について計算機プログラミングにより確認した結果を図３に示す。即ちタップ数は３として、２種類の参照信号系列に対する出力信号ｅ，ｅ′を導出した。図３（ａ）に示す入力信号系列ｕ1，ｕ2，ｕ3と、参照信号系列ｄ，ｄ′との値を用いて、従来のシストリックアレー装置１０を用い別々に出力信号ｅ，ｅ′を導出した結果を図３（ｂ）に示し、本発明のシストリックアレー装置３０を用い同時に出力信号ｅ，ｅ′を導出した結果を図３（ｃ）に示す。
【００３２】
これら結果より両者は同じ値となっている。原理上、最初のタップ数分の出力信号ｅ（１），ｅ（２），ｅ（３）とｅ′（１），ｅ′（２），ｅ′（３）は導出されない。したがって、図中の出力信号はｅ（４），ｅ（５）とｅ′（４），ｅ′（５）のみ示している。このことから本発明のシストリックアレー装置３０では、複数の参照信号系列を同時に扱えることが確認された。
【００３３】
これと同様な原理で構成されていれば、図１に示したようにタップ数ｋ及び参照信号系列の系列数ｍに制限はない。
【００３４】
このように、本実施形態のシストリックアレー装置によれば、ＱＲ分解に基づく逐次最小２乗アルゴリズムの処理を行う場合に、Ｇｉｖｅｎｓ回転に基づく変換のための適切な回転パラメータを計算する複数のバウンダリセル○と、このバウンダリセル○の計算値を用いて受信データベクトルの要素を回転させる複数のインターナルセル□と、バウンダリセル○およびインターナルセル□の計算値から事後推定誤差を導出するファイナルセル◎とを備えた構成に、信号系列が入力される最後尾のセル列に配列されたインターナルセル□の個々に、インターナルセル□から出力される信号が受け渡されるように追加インターナルセル□を接続し、ファイナルセル◎に、このセル◎に入力されるバウンダリセル○からの計算値と追加インターナルセル□の計算値とが受け渡されるように追加ファイナルセル◎を接続してシストリックアレー装置を構成した。
【００３５】
即ち、最後尾のセル列に、複数の追加インターナルセル□と追加ファイナルセル◎とを有するセル列を追加したので、その最後尾のセル列と追加されたセル列との双方に同時に異なる参照信号系列を入力することによって、この入力された参照信号系列の各々と入力信号系列との事後推定誤差信号を同時に導出することができる。
【００３６】
また、追加インターナルセル□を、インターナルセル□から出力される信号が順次受け渡されるように複数段接続し、この接続された追加インターナルセル□毎に追加ファイナルセル◎を接続し、この接続された追加ファイナルセル◎毎に、バウンダリセル○からの計算値と当該追加ファイナルセル◎が接続された追加インターナルセル□の計算値とが受け渡されるようにした。
【００３７】
即ち、最後尾のセル列に追加されたセル列に、更に複数段のセル列を追加したので、その段数に応じた種類の参照信号系列の各々と入力信号系列との事後推定誤差を同時に導出することができる。
【００３８】
このように本実施形態のシストリックアレー装置は、シストリックアレーを用いて同一の入力信号で複数の参照信号系列を取り扱う場合に利用可能であり、具体例としては後述で説明するように、通信における同期捕捉や、移動通信におけるアダプティブアレーアンテナの制御に用いることができる。なお、これら通信分野に限らず、ＱＲ分解に基づきＲＬＳアルゴリズムの処理を行うシストリックアレーを用いる場合において、同一の入力信号系列で複数の参照信号系列を取り扱う場合に利用可能である。
【００３９】
第１実施形態のシストリックアレー装置を、通信における同期捕捉に用いる場合について説明する。
【００４０】
例えば、文献｛府川和彦、”移動通信用アダプティブアレイのフレーム同期確立法とその特性”信学技報｝や[A,V,Keerthi and J,Shynk, "Separation of Cochannel Signals in TDMA Mobile Radio" IEEE Trans on Signal Processing,Vol,46,No.10,1998｝に示される同期捕捉方法においては、受信側で既知の信号系列を送信側より送信し、受信側において既知信号系列の時間タイミングを１シンボルずつ変えて複数の参照信号系列を生成し、この複数の参照信号系列と受信信号系列との事後推定誤差を計算し、誤差電力が最も小さくなる参照信号系列の時間タイミングを同期点とすることが記載されている。
【００４１】
この方法では、同一の入力信号系列に対して、複数の参照信号系列における事後推定誤差信号が必要となる。したがって、図４に示すように、本実施形態のシストリックアレー装置において、受信信号を入力信号系列とし、１シンボルずつ異なる複数の時間タイミングの既知信号系列を複数の参照信号系列とすることにより、同時に事後推定誤差信号を計算することができる。
【００４２】
即ち、既知信号系列の時間的なタイミングを１シンボルずつ変えた複数の系列を参照信号系列ｄ1，ｄ2，ｄ3，ｄ4，ｄ5，ｄ6，…（ここで、ｄk+1はｄkの時間的なタイミングを１シンボル遅らせた系列である）として、本実施形態のシストリックアレー装置を用いて、それぞれに対応する事後推定誤差信号ｅ1，ｅ2，ｅ3，ｅ4，ｅ5，ｅ6，…を同時に導出することができる。そして、それぞれの誤差信号ｅ1，ｅ2，ｅ3，ｅ4，ｅ5，ｅ6，…による平均誤差電力Ｐ１，Ｐ２，Ｐ３，Ｐ４，Ｐ５，Ｐ６，…を計算し、この値が最も小さい（この例ではｐ３）時間タイミングを同期点とする。このようにして、本発明を通信における同期捕捉に用いることができる。
【００４３】
次に、本実施形態のシストリックアレー装置を、移動通信におけるアダプティブアレーアンテナの制御に用いる場合について説明する。
【００４４】
例えば、文献｛菊間信良著、「アレーアンテナによる適応信号処理」、科学技術出版｝にも記載されているように、アダプティブアレーアンテナの各素子におけるタップ係数の制御アルゴリズムには様々な方式がある。その中で、ＲＬＳアルゴリズムを用いた方法は、収束特性が良好なことで知られている。
【００４５】
ＲＬＳアルゴリズムを用いたアダプティブアレーアンテナの各素子のタップ係数の計算に関して、従来から検討されている先行波だけを受信する場合は、複数の参照信号系列を取り扱うことはないが、例えば文献｛花木明人、大鐘武雄、小川恭孝、”ＭＭＳＥアダプティブアレーアンテナとＭＬＳＥの縦続接続法に関する検討”信学技法、RCS98-42,pp-39-45,Jun,1998｝に示されるような制御を行う場合、同一の入力信号系列に対して、複数の参照信号系列を取り扱う必要がある。
【００４６】
上記文献｛花木明人…｝では、受信電力を有効利用するためにアダプティブアレーアンテナの各素子のタップ係数について、先行波について考慮されたタップ係数と、遅延波について考慮されたタップ係数とを合成する。この先行波について考慮されたタップ係数と遅延波について考慮されたタップ係数の導出は、本実施形態のシストリックアレー装置を用いることにより同時に計算することができる。この構成を図５に示して説明する。
【００４７】
図５において、入力信号系列ｕ1，ｕ2，…，ｕkとしてアダプティブアレーアンテナの各素子における受信信号を用い、複数の参照信号系列ｄ1，ｄ2，…として、先行波に時間タイミングを合わせた既知信号系列と、様々な遅延時間の遅延波に時間タイミングを合わせた既知信号系列とを用いることにより、先行波ついて考慮されたタップ係数ｗ0と、遅延波について考慮されたタップ係数ｗ1とを同時に導出することができる。上記文献｛花木明人…｝の方法では、それらのタップ係数を合成して用いる。このようにして、本実施形態のシストリックアレー装置をアダプティブアレーアンテナの制御に用いることができる。
【００４８】
次に、本発明の第２実施形態に係るシストリックアレー装置について説明する。図６は、第２実施形態に係るシストリックアレー装置４０の構成を示す図である。第２実施形態に係るシストリックアレー装置４０は、第１実施形態に係るシストリックアレー装置２０と基本的な構成は同じであるが、それぞれの追加インターナルセルは最後尾のセル列に配列されたインターナルセルの個々と並列に接続され、最後尾のインターナルセルから直接に計算結果が受け渡されるように構成されている点が異なる。
【００４９】
第２実施形態に係るシストリックアレー装置４０は、第１実施形態のシストリックアレー装置２０と同様に、最後尾のセル列に、複数の追加インターナルセル□と追加ファイナルセル◎とを有するセル列を追加したので、その最後尾のセル列と追加されたセル列との双方に同時に異なる参照信号系列を入力することによって、この入力された参照信号系列の各々と入力信号系列との事後推定誤差信号を同時に導出することができる。
【００５０】
また、インターナルセル□から出力される信号をそれぞれの追加インターナルセル□に直接受け渡されるように複数段接続されているので、各追加インターナルセル□に入力する各参照信号系列のタイミングをずらす必要がない。また、それぞれのファイナルセルから演算結果が出力されるタイミングに遅延が生じないので、処理速度をさらに向上させることができる。特に追加セル列数が多い場合に有効である。
【００５１】
また、本実施形態に係るシストリックアレー装置４０は、ファイナルセル◎は隣接するファイナルセル◎に計算結果を受け渡す構成ではないので、ファイナルセル◎の出力を増やさなくてもよく、従来のシストリックアレー装置のファイナルセルを用いることができる。
【００５２】
また、本実施形態のシストリックアレー装置４０は、シストリックアレーを用いて同一の入力信号で複数の参照信号系列を取り扱う場合に利用可能であり、第１実施形態に係るシストリックアレー装置２０と同様に、通信における同期捕捉や、移動通信におけるアダプティブアレーアンテナの制御に用いることができる。
【００５３】
【発明の効果】
以上説明したように、本発明によれば、ＱＲ分解に基づくＲＬＳアルゴリズムの処理を行うシストリックアレー装置における最後尾のセル列に、複数の追加インターナルセルと追加ファイナルセルとを有するセル列を追加したので、上記最後尾のセル列と追加されたセル列との双方に同時に異なる参照信号系列を入力することによって、この入力された参照信号系列の各々と入力信号系列との事後推定誤差を同時に導出することができる。つまり、ＱＲ分解に基づくＲＬＳアルゴリズムの処理を行う際に同一の入力信号系列で複数の参照信号系列を扱う場合、その複数の参照信号系列を同時に扱うことができる。さらに、インターナルセルから出力される信号をそれぞれの追加インターナルセルに直接受け渡されるように複数段接続されているので、各追加インターナルセルに入力する各信号系列のタイミングをずらす必要がない。また、それぞれのファイナルセルから演算結果が出力されるタイミングに遅延が生じないので、処理速度をさらに向上させることができる。
【図面の簡単な説明】
【図１】本発明の第１実施形態に係るシストリックアレー装置の構成を示すブロック図である。
【図２】上記実施形態に係るシストリックアレー装置において、タップ数３で２種類の参照信号系列を扱う構成を示すブロック図である。
【図３】タップ数３で２種類の参照信号系列を扱うシストリックアレー装置に入力される入力信号系列および参照信号系列の値と、これら値を入力した際に得られた出力信号の結果を示す図である。
【図４】上記実施形態に係るシストリックアレー装置を通信における同期捕捉に用いた場合の一例を示す図である。
【図５】上記実施形態に係るシストリックアレー装置をアダプティブアレーアンテナの指向性制御に用いた場合の一例を示す図である。
【図６】本発明の第２実施形態に係るシストリックアレー装置の構成を示すブロック図である。
【図７】従来の基本的なシストリックアレー装置の構成を示すブロック図である。
【図８】従来においてタップ数３で２種類の参照信号系列を同時に処理する場合のシストリックアレー装置の構成を示すブロック図である。
【符号の説明】
２０，３０，４０…シストリックアレー装置、２１，３１…実施形態での追加セル部分、３２…ファイナルセルにおける実施形態での追加機能で得られる信号部分、□…インターナルセル、○…バウンダリセル、◎…ファイナルセル
【図１】
0003924507.tif 000002
【図２】
0003924507.tif 000003
【図３】
0003924507.tif 000004
【図４】
0003924507.tif 000005
【図５】
0003924507.tif 000006
【図６】
0003924507.tif 000007
【図７】
0003924507.tif 000008
【図８】
0003924507.tif 000009